(57)【要約】【課題】ユーザが、所望の解像度により視聴したいチャンネルを即座に選局することが可能な放送受信装置を提供する。【解決手段】このデジタルテレビジョン１００（放送受信装置）は、解像度に関する情報を含むデジタルテレビジョン放送波を受信するチューナ１１と、解像度に関する情報に基づいて受信周波数を切り換える制御を行う制御部１８とを備える。制御部１８は、ユーザがテレビ番組のチャンネルを選局する際に、所定のコンテンツ（番組内容）からなりＳＤ方式で放送されるテレビ番組と、上記と同一のコンテンツからなりＨＤ方式で放送されるテレビ番組とが含まれる場合に、解像度に関する情報に基づいて、ＨＤ方式で放送されるテレビ番組を優先的に受信するようにチューナ１１の受信周波数を切り換える制御を行うように構成されている。【選択図】図６
2011223128.tif 000002
【特許請求の範囲】
【請求項１】
解像度に関する情報を含むデジタルテレビジョン放送波を受信する受信部と、
前記受信部を介して取得された前記解像度に関する情報に基づいて受信周波数を切り換える制御を行う制御部とを備え、
前記制御部は、ユーザがテレビ番組のチャンネルを選局する際に、前記デジタルテレビジョン放送波に所定のコンテンツからなり第１解像度を有して放送されるテレビ番組と、前記所定のコンテンツと同一のコンテンツからなり前記第１解像度と異なる第２解像度を有して放送されるテレビ番組とが含まれる場合に、前記解像度に関する情報に基づいて、前記第１解像度または前記第２解像度のいずれか一方を有して放送されるテレビ番組を優先的に受信するように、前記受信部の受信周波数を切り換える制御を行うように構成されている、放送受信装置。
【請求項２】
前記第２解像度は、前記第１解像度よりも高い解像度を有しており、
前記制御部は、ユーザがテレビ番組のチャンネルを選局する際に、前記解像度に関する情報に基づいて、前記第２解像度を有して放送されるテレビ番組を優先的に受信するように、前記受信部の受信周波数を切り換える制御を行うように構成されている、請求項１に記載の放送受信装置。
【請求項３】
前記放送事業者毎に割り当てられたチャンネルは、１つの物理チャンネル番号と、前記物理チャンネル番号に対して少なくとも１つ割り当てられた理論チャンネル番号とから構成されており、
前記制御部は、ユーザがテレビ番組のチャンネルを選局する際に、前記物理チャンネル番号内に前記第１解像度を有して放送されるテレビ番組に対応する理論チャンネル番号と、前記第２解像度を有して放送されるテレビ番組に対応する理論チャンネル番号とが存在すると判断した場合、前記解像度に関する情報に基づいて、前記第２解像度を有して放送される理論チャンネル番号に対応したテレビ番組を優先的に受信するように、前記受信部の受信周波数を切り換える制御を行うように構成されている、請求項２に記載の放送受信装置。
【請求項４】
前記制御部は、ユーザがテレビ番組のチャンネルを選局する際に、ユーザにより前記第１解像度を有して放送されるテレビ番組に対応する理論チャンネル番号が指定された場合に、前記物理チャンネル番号内に前記第２解像度を有して放送されるテレビ番組に対応する理論チャンネル番号が存在する場合は、前記第１解像度を有して放送されるテレビ番組を受信せずに前記第２解像度を有して放送されるテレビ番組を受信するように、前記受信部の受信周波数を切り換える制御を行うように構成されている、請求項３に記載の放送受信装置。
【請求項５】
前記制御部は、ユーザがチャンネル番号を１つだけ増加させる操作または前記チャンネル番号を１つだけ減少させる操作によってテレビ番組のチャンネルを選局する際に、前記操作により指定された理論チャンネル番号が前記第１解像度を有して放送されるテレビ番組に対応する理論チャンネル番号である場合に、前記物理チャンネル番号内に前記第２解像度を有して放送されるテレビ番組に対応する理論チャンネル番号が存在する場合は、ユーザによる前記操作により指定された理論チャンネル番号を飛び越して前記第２解像度を有して放送されるテレビ番組を受信するように、前記受信部の受信周波数を切り換える制御を行うように構成されている、請求項４に記載の放送受信装置。
【請求項６】
前記制御部は、ユーザがテレビ番組のチャンネルを選局する際に、前記物理チャンネル番号内に前記第１解像度を有して放送されるテレビ番組に対応する理論チャンネル番号が存在しないと判断した場合、前記受信部を前記ユーザにより指定された理論チャンネル番号に対応したテレビ番組を受信するように、前記受信部の受信周波数を切り換える制御を行うように構成されている、請求項３または４に記載の放送受信装置。
【請求項７】
前記制御部は、ユーザがテレビ番組のチャンネルを選局する際に、前記物理チャンネル番号内に前記第２解像度を有して放送されるテレビ番組に対応する理論チャンネル番号が存在しないと判断した場合、前記受信部を前記ユーザにより指定された理論チャンネル番号のうちの選局前のチャンネル番号に隣接する理論チャンネル番号に対応したテレビ番組を受信するように、前記受信部の受信周波数に切り換える制御を行うように構成されている、請求項３〜６のいずれか１項に記載の放送受信装置。
【請求項８】
前記デジタルテレビジョン放送波によるテレビ番組を表示可能な表示装置に接続されるように構成されており、
前記第２解像度は、前記第１解像度よりも高い解像度を有しており、
前記制御部は、ユーザがテレビ番組のチャンネルを選局する際に、前記表示装置が前記第２解像度の状態で表示することができずに前記第１解像度の状態で表示可能であると判断した場合、前記第１解像度を有して放送されるテレビ番組を優先的に受信するように、前記受信部の受信周波数を切り換える制御を行うように構成されており、
前記制御部は、ユーザがテレビ番組のチャンネルを選局する際に、前記表示装置が前記第２解像度の状態で表示可能であると判断した場合、前記第２解像度を有して放送されるテレビ番組を優先的に受信するように、前記受信部の受信周波数を切り換える制御を行うように構成されている、請求項１〜７のいずれか１項に記載の放送受信装置。
【請求項９】
前記デジタルテレビジョン放送波は、前記デジタルテレビジョン放送波を構成するトランスポートストリームが有する番組情報を含み、
前記番組情報には、前記放送事業者を特定する情報が規定されており、
前記制御部は、前記受信部を介して取得された前記番組情報に含まれる前記放送事業者を特定する情報に基づいて、前記解像度に関する情報を取得する制御を行うように構成されている、請求項１〜８のいずれか１項に記載の放送受信装置。
【請求項１０】
前記制御部は、前記放送事業者を特定する情報に付加された解像度に関する所定の文字を特定することにより、前記解像度に関する情報を認識する制御を行うように構成されている、請求項９に記載の放送受信装置。
【発明の詳細な説明】
【技術分野】
【０００１】
この発明は、放送受信装置に関し、特に、デジタルテレビジョン放送波を受信する受信部を備えた放送受信装置に関する。
【背景技術】
【０００２】
従来、デジタルテレビジョン放送波を受信する受信部を備えた放送受信装置が知られている（たとえば、特許文献１参照）。
【０００３】
上記特許文献１には、デジタルテレビジョン放送波を受信するチューナと、受信されたテレビジョン放送波に基づいてチャンネル番号リストを内部的に作成可能な制御部とを備えた放送受信装置が開示されている。この特許文献１に記載の放送受信装置では、チャンネル番号リストが作成される際、制御部により、チャンネル毎のテレビジョン放送波の符号化方式（ＨＤＴＶ（高精細度テレビジョン放送方式）およびＳＤＴＶ（標準テレビジョン放送方式））がリスト内に付記されるように構成されている。また、チャンネル番号リストは、符号化方式（ＨＤ方式およびＳＤ方式）毎に分けられて別々に作成されるように構成されている。したがって、ユーザは、チャンネルを選局する前に、リモコン操作などによりテレビ画面に放送形式毎のチャンネル番号リストを個別に表示させてテレビ番組の放送形式（ＨＤ方式またはＳＤ方式）を確認することが可能に構成されている。ここで、符号化方式におけるＨＤ方式は、ＳＤ方式よりも高い解像度を有して視聴することが可能な放送形式のことを示す。
【先行技術文献】
【特許文献】
【０００４】
【特許文献１】特開２００９−１７７７０６号公報
【発明の概要】
【発明が解決しようとする課題】
【０００５】
しかしながら、上記特許文献１に記載の放送受信装置では、ユーザは、チャンネルを選局する前に、リモコン操作などによりテレビ画面に放送形式毎のチャンネル番号リストを個別に表示させてテレビ番組の放送形式（ＨＤ方式（高解像度）またはＳＤ方式（標準解像度））を逐一確認する必要がある。すなわち、送出元が同じ放送局のチャンネルが複数存在する場合には、各々のチャンネルに対応するテレビ番組がＳＤ方式の放送またはＨＤ方式の放送のいずれであるかを事前に調べておく必要がある。このため、ユーザが、所望の解像度により視聴したいチャンネルを即座に選局することができないという問題点がある。
【０００６】
この発明は、上記のような課題を解決するためになされたものであり、この発明の１つの目的は、ユーザが、所望の解像度により視聴したいチャンネルを即座に選局することが可能な放送受信装置を提供することである。
【課題を解決するための手段および発明の効果】
【０００７】
この発明の一の局面による放送受信装置は、解像度に関する情報を含むデジタルテレビジョン放送波を受信する受信部と、受信部を介して取得された解像度に関する情報に基づいて受信周波数を切り換える制御を行う制御部とを備え、制御部は、ユーザがテレビ番組のチャンネルを選局する際に、デジタルテレビジョン放送波に所定のコンテンツからなり第１解像度を有して放送されるテレビ番組と、所定のコンテンツと同一のコンテンツからなり第１解像度と異なる第２解像度を有して放送されるテレビ番組とが含まれる場合に、解像度に関する情報に基づいて、第１解像度または第２解像度のいずれか一方を有して放送されるテレビ番組を優先的に受信するように、受信部の受信周波数を切り換える制御を行うように構成されている。
【０００８】
この発明の一の局面による放送受信装置では、上記のように、ユーザがテレビ番組のチャンネルを選局する際に、デジタルテレビジョン放送波に所定のコンテンツからなり第１解像度を有して放送されるテレビ番組と、このコンテンツと同一のコンテンツからなり第１解像度と異なる第２解像度を有して放送されるテレビ番組とが含まれる場合に、解像度に関する情報に基づいて、第１解像度または第２解像度のいずれか一方を有して放送されるテレビ番組を優先的に受信するように、受信部の受信周波数を切り換える制御を行うように制御部が構成されている。すなわち、視聴中のチャンネルから他のチャンネルへ移動する際に、移動先のチャンネルにおいて異なる解像度（第１解像度または第２解像度）であるにも拘わらず同じコンテンツ（番組内容）からなるテレビ番組が重複して放送されている場合に、制御部によって一方の解像度を有して放送されているテレビ番組を優先的に受信するようなチャンネルの選局動作が行われる。これにより、移動先のチャンネルに同一コンテンツからなる複数のテレビ番組が存在している場合であっても、ユーザ自身が解像度に関する情報に注目していずれのチャンネルを選ぶかの判断を行わずとも一のチャンネルが自動的に選局されるので、その分、ユーザが所望する解像度により視聴したいチャンネルを即座に選局することができる。
【０００９】
上記一の局面による放送受信装置において、好ましくは、第２解像度は、第１解像度よりも高い解像度を有しており、制御部は、ユーザがテレビ番組のチャンネルを選局する際に、解像度に関する情報に基づいて、第２解像度を有して放送されるテレビ番組を優先的に受信するように、受信部の受信周波数を切り換える制御を行うように構成されている。このように構成すれば、同一コンテンツからなる複数のテレビ番組のうちの第１解像度よりも高い第２解像度を有して放送されるテレビ番組に対応するチャンネルが優先的に選局されるので、ユーザは、より質の高い映像および音声を通してテレビ番組を即座に選局して視聴することができる。
【００１０】
上記第２解像度が第１解像度よりも高い解像度を有する構成において、好ましくは、放送事業者毎に割り当てられたチャンネルは、１つの物理チャンネル番号と、物理チャンネル番号に対して少なくとも１つ割り当てられた理論チャンネル番号とから構成されており、制御部は、ユーザがテレビ番組のチャンネルを選局する際に、物理チャンネル番号内に第１解像度を有して放送されるテレビ番組に対応する理論チャンネル番号と、第２解像度を有して放送されるテレビ番組に対応する理論チャンネル番号とが存在すると判断した場合、解像度に関する情報に基づいて、第２解像度を有して放送される理論チャンネル番号に対応したテレビ番組を優先的に受信するように、受信部の受信周波数を切り換える制御を行うように構成されている。このように構成すれば、同じ物理チャンネル内に存在する複数の理論チャンネルのうちのより高解像度のテレビ番組に対応する理論チャンネルが優先的に選局されるので、ユーザは、より質の高い映像および音声を通してテレビ番組を即座に選局して視聴することができる。
【００１１】
上記チャンネルが１つの物理チャンネル番号と理論チャンネル番号とからなる構成において、好ましくは、制御部は、ユーザがテレビ番組のチャンネルを選局する際に、ユーザにより第１解像度を有して放送されるテレビ番組に対応する理論チャンネル番号が指定された場合に、物理チャンネル番号内に第２解像度を有して放送されるテレビ番組に対応する理論チャンネル番号が存在する場合は、第１解像度を有して放送されるテレビ番組を受信せずに第２解像度を有して放送されるテレビ番組を受信するように、受信部の受信周波数を切り換える制御を行うように構成されている。このように構成すれば、同じ物理チャンネル内に存在する複数の理論チャンネルのうちのより高解像度のテレビ番組に対応する理論チャンネルが優先的に選局されるので、ユーザは、より高解像度のテレビ番組が存在するか否かを意識することなく、より質の高い映像および音声を通してテレビ番組を視聴することができる。
【００１２】
この場合、好ましくは、制御部は、ユーザがチャンネル番号を１つだけ増加させる操作またはチャンネル番号を１つだけ減少させる操作によってテレビ番組のチャンネルを選局する際に、操作により指定された理論チャンネル番号が第１解像度を有して放送されるテレビ番組に対応する理論チャンネル番号である場合に、物理チャンネル番号内に第２解像度を有して放送されるテレビ番組に対応する理論チャンネル番号が存在する場合は、ユーザによる操作により指定された理論チャンネル番号を飛び越して第２解像度を有して放送されるテレビ番組を受信するように、受信部の受信周波数を切り換える制御を行うように構成されている。このように構成すれば、ユーザがチャンネル番号を１つだけ増加させる操作またはチャンネル番号を１つだけ減少させる操作によってテレビ番組のチャンネルを選局する場合においても、同じ物理チャンネル内に存在する複数の理論チャンネルのうちのより高解像度のテレビ番組に対応する理論チャンネルが優先的に選局されるので、ユーザは、より高解像度のテレビ番組が存在するか否かを意識することなく、より質の高い映像および音声を通してテレビ番組を視聴することができる。
【００１３】
上記チャンネルが１つの物理チャンネル番号と理論チャンネル番号とからなる構成において、好ましくは、制御部は、ユーザがテレビ番組のチャンネルを選局する際に、物理チャンネル番号内に第１解像度を有して放送されるテレビ番組に対応する理論チャンネル番号が存在しないと判断した場合、受信部をユーザにより指定された理論チャンネル番号に対応したテレビ番組を受信するように、受信部の受信周波数を切り換える制御を行うように構成されている。このように構成すれば、ユーザにより指定された理論チャンネル番号が、第１解像度よりも高い解像度を有する第２解像度を有して放送されるテレビ番組である可能性が高いので、ユーザにより指定された理論チャンネル番号を選局することにより、ユーザに、質の高い映像および音声を通してテレビ番組を視聴させやすくすることができる。
【００１４】
上記チャンネルが１つの物理チャンネル番号と理論チャンネル番号とからなる構成において、好ましくは、制御部は、ユーザがテレビ番組のチャンネルを選局する際に、物理チャンネル番号内に第２解像度を有して放送されるテレビ番組に対応する理論チャンネル番号が存在しないと判断した場合、受信部をユーザにより指定された理論チャンネル番号のうちの選局前のチャンネル番号に隣接する理論チャンネル番号に対応したテレビ番組を受信するように、受信部の受信周波数に切り換える制御を行うように構成されている。このように構成すれば、ユーザにより指定された理論チャンネル番号に対応するテレビ番組が確実に受信されるので、ユーザが視聴可能なテレビ番組を見逃すのを確実に抑制することができるとともに、従来どおりの選局動作を確実に反映させることができる。
【００１５】
上記一の局面による放送受信装置において、好ましくは、デジタルテレビジョン放送波によるテレビ番組を表示可能な表示装置に接続されるように構成されており、第２解像度は、第１解像度よりも高い解像度を有しており、制御部は、ユーザがテレビ番組のチャンネルを選局する際に、表示装置が第２解像度の状態で表示することができずに第１解像度の状態で表示可能であると判断した場合、第１解像度を有して放送されるテレビ番組を優先的に受信するように、受信部の受信周波数を切り換える制御を行うように構成されており、制御部は、ユーザがテレビ番組のチャンネルを選局する際に、表示装置が第２解像度の状態で表示可能であると判断した場合、第２解像度を有して放送されるテレビ番組を優先的に受信するように、受信部の受信周波数を切り換える制御を行うように構成されている。このように構成すれば、表示装置の仕様（第１解像度のみが表示可能であるか、または、第２解像度でも表示可能であるかを示す表示装置の性能）に応じて、視聴中のチャンネルから他のチャンネルへ移動することができるので、ユーザが視聴したいチャンネルを確実に選局することができる。
【００１６】
上記一の局面による放送受信装置において、好ましくは、デジタルテレビジョン放送波は、デジタルテレビジョン放送波を構成するトランスポートストリームが有する番組情報を含み、番組情報には、放送事業者を特定する情報が規定されており、制御部は、受信部を介して取得された番組情報に含まれる放送事業者を特定する情報に基づいて、解像度に関する情報を取得する制御を行うように構成されている。このように構成すれば、番組情報に含まれる放送事業者を特定する情報に基づいて、解像度に関する情報を容易に取得することができる。
【００１７】
この場合、好ましくは、制御部は、放送事業者を特定する情報に付加された解像度に関する所定の文字を特定することにより、解像度に関する情報を取得する制御を行うように構成されている。このように構成すれば、放送事業者を特定する情報に含まれる解像度に関する情報を確実に取得することができる。
【図面の簡単な説明】
【００１８】
【図１】本発明の第１実施形態によるデジタルテレビジョンの構成を示したブロック図である。
【図２】本発明の第１実施形態によるデジタルテレビジョンを操作するリモコンを示した平面図である。
【図３】本発明の第１実施形態によるデジタルテレビジョンが内部的に作成して保有するチャンネル番号リストを示した概略図である。
【図４】本発明の第１実施形態によるデジタルテレビジョンが受信するＴＳに含まれるＴＶＣＴデータの概略を示した図である。
【図５】図５に示したＴＶＣＴデータに基づいて取得されるサブチャンネル番号ごとのショートネーム情報を示した図である。
【図６】本発明の第１実施形態によるデジタルテレビジョンの制御動作を説明するためのフローチャートである。
【図７】本発明の第２実施形態によるＨＤＤレコーダにテレビジョン装置が接続された状態を示したブロック図である。
【発明を実施するための形態】
【００１９】
（第１実施形態）
まず、図１〜図５を参照して、本発明の第１実施形態によるデジタルテレビジョン１００の構成について説明する。なお、第１実施形態では、放送受信装置の一例であるデジタルテレビジョン１００に本発明を適用した場合について説明する。
【００２０】
本発明の第１実施形態によるデジタルテレビジョン１００は、図１に示すように、装置本体に内蔵された制御回路部１０と、映像を表示する表示画面部３０と、音声を出力するスピーカ３１と、ユーザが離れた位置からデジタルテレビジョン１００を操作するために設けられたリモコン５０とを備えている。なお、表示画面部３０は、本発明の「表示装置」の一例である。
【００２１】
また、デジタルテレビジョン１００は、アンテナケーブル４１を介して家屋などに設置されたアンテナ４０に接続されることにより、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）によるＡＴＳＣ  Ａ／６５Ｃ規格（ＰＳＩＰ規格：Ｐｒｏｇｒａｍ  ａｎｄ  Ｓｙｓｔｅｍ  Ｉｎｆｏｒｍａｔｉｏｎ  Ｐｒｏｔｏｃｏｌ規格）に基づいて各放送事業者から送出（配信）されるテレビジョン放送波を受信することが可能に構成されている。
【００２２】
また、制御回路部１０には、所定の伝送チャンネルを選局して放送事業者毎のデジタルテレビジョン放送波を受信するチューナ１１と、受信されたテレビジョン放送波（アナログ電波）をデジタル信号に復調する復調部１２と、復調後の符号化されたデジタル信号（トランスポートストリーム：ＴＳ）をデコード（復号化）することにより、ＴＳを、映像データ、音声データおよびその他の番組情報などに分解するＴＳデコーダ１３と、ＴＳデコーダ１３により復号された映像信号に対して各種処理を行う映像処理部１４と、ＴＳデコーダ１３により復号された音声信号に対して処理を行う音声処理部１５と、後述する制御部１８から出力指示された文字情報や色情報に基づく映像データを表示画面部３０から出力される映像データに組み込む処理を行うＯＳＤ（オンスクリーンディスプレイ）部１６とが設けられている。また、映像データは、映像処理部１４においてＤ／Ａ変換処理（デジタル／アナログ変換処理）がなされた後に表示画面部３０から出力される一方、音声データは、音声処理部１５においてＤ／Ａ変換処理がなされた後にスピーカ３１から出力されるように構成されている。なお、チューナ１１は、本発明の「受信部」の一例である。
【００２３】
また、チューナ１１により受信されて復調部１２により復調されたトランスポートストリーム（ＭＰＥＧ−ＴＳ）は、各放送事業者から送出されるデジタル信号化された映像データ、音声データおよびその他の番組情報などによって構成されている。また、放送事業者毎の番組情報には、ＰＳＩＰ（番組プログラムおよびシステム情報プロトコル）が含まれている。また、ＰＳＩＰには、放送番組の名称、コンテンツ（番組の内容）や放送日時などの番組配列情報が記録されたＥＩＴ（Ｅｖｅｎｔ  Ｉｎｆｏｒｍａｔｉｏｎ  Ｔａｂｌｅ）や、サブチャンネル番号（仮想チャンネル番号）リストが記録されたＶＣＴ（Ｖｉｒｔｕａｌ  Ｃｈａｎｎｅｌ  Ｔａｂｌｅ）などが含まれている。また、ＰＳＩＰには、ＥＩＴやＶＣＴ以外の複数の番組配列情報が個別に規定されている。ここで、デジタルテレビジョン放送の番組には、１つの物理チャンネル番号に対して、複数のサブチャンネル番号が存在する場合がある。物理チャンネルとは、デジタルテレビジョン放送において、その放送が使用している周波数帯域に対応して割り振られた番号である。また、サブチャンネルとは、デジタルテレビジョン放送において、ある物理チャンネル内にさらに複数の番組を個々に選局できるように割り振られている番号である。なお、ＰＳＩＰおよびＶＣＴは、本発明の「番組情報」の一例である。また、サブチャンネル番号は、本発明の「理論チャンネル番号」の一例である。
【００２４】
また、ＶＣＴは、図４に示すように、各放送事業者から送出されたＴＳ内含まれるＴＶＣＴ（Ｔｅｒｒｅｓｔｒｉａｌ  Ｖｉｒｔｕａｌ  Ｃｈａｎｎｅｌ  Ｔａｂｌｅ）データに基づいて把握されるように構成されている。また、ＴＶＣＴデータ内の「ｓｈｏｒｔ＿ｎａｍｅ」（図中に記載された箇所を矢印Ｐを用いて示す）には、放送事業者の名称およびテレビ番組の放送形式の情報が規定されている。すなわち、図５に示すように、後述する制御部１８によりＴＶＣＴを解析することにより、サブチャンネル番号ごとの「ｓｈｏｒｔ＿ｎａｍｅ」情報（ショートネーム情報）が取得可能であるように構成されている。図５では、サブチャンネル番号「３−２」のショートネーム情報が「ＤＴＶ＿ＳＤ」であり、サブチャンネル番号「３−３」のショートネーム情報が「ＤＴＶ＿ＨＤ」である場合を示している。ここで、「ＤＴＶ＿ＳＤ」とは、放送事業者名：ＤＴＶからのテレビ番組が標準的な解像度で視聴可能なＳＤＴＶ（標準テレビジョン放送）方式で放送されることを示している。また、「ＤＴＶ＿ＨＤ」とは、放送事業者名：ＤＴＶからのテレビ番組が高解像度状態で視聴可能なＨＤＴＶ（高精細度テレビジョン放送）方式で放送されることを示している。なお、上記したＴＶＣＴデータ内のショートネーム情報は、本発明の「放送事業者を特定する情報」の一例である。また、ショートネーム情報内の「ＳＤ」や「ＨＤ」は、本発明の「解像度に関する情報」および「解像度に関する所定の文字」の一例である。
【００２５】
したがって、デジタルテレビジョン１００では、テレビジョン放送波を受信した際に各放送事業者から送出されたＴＳに含まれるＰＳＩＰに基づいて、ユーザが選局可能なチャンネル番号リスト６０（図３参照）が機器内部で作成されるように構成されている。すなわち、ユーザが装置本体をアンテナ４０に接続して最初に使用する際に、後述する制御部１８の指令によりチューナ１１の受信周波数を順次変更させながら各放送事業者から送出されたＴＳを順次スキャニングすることにより、各々のＴＳに含まれるＰＳＩＰに基づいて、装置本体内にチャンネル番号リスト６０が予め構築されるように構成されている。これにより、ユーザがリモコン５０などを介してチャンネルの選局を行った際、チャンネル番号リスト６０に基づいてチューナ１１の受信周波数を切り換えることにより、選択されたチャンネル番号に対応するデジタルテレビジョン放送波を受信することが可能に構成されている。
【００２６】
また、図１に示すように、制御回路部１０は、上述の構成に加えて、外部機器をデジタルテレビジョン１００と接続するための外部機器接続端子１７と、ＣＰＵからなりデジタルテレビジョン１００の全体の制御を司る制御部１８と、制御プログラムや機器内部に作成されたチャンネル番号リスト６０などを格納（記録）するメモリ部１９と、リモコン５０からのリモコン信号を受光した後に電気信号に変換して制御部１８に指令を与える受光部２０とが設けられている。また、制御回路部１０の各構成要素は、バス（伝送路）２１を介して互いに接続されることにより、制御部１８による指令信号やＴＳに含まれる各種データを互いにやり取りすることが可能に構成されている。
【００２７】
また、図２に示すように、リモコン５０は、デジタルテレビジョン１００の主電源をオン／オフさせる電源ボタン５１と、音声切換および入力切換などのモード切換ボタン５２と、テレビ番組のチャンネル番号（物理チャンネル番号およびサブチャンネル番号）を直接入力して番組を選局することが可能な複数のダイレクト選局ボタン５３（破線で囲まれた領域のボタン）と、現在選局されているチャンネル番号を基準にしてチャンネル番号をアップ／ダウンさせて選局するチャンネルアップボタン５４ａおよびチャンネルダウンボタン５４ｂと、音量調節ボタン５５と、表示画面部３０を介してデジタルテレビジョン１００の諸設定を行わせるための操作ボタン群５６とから構成されている。
【００２８】
ここで、第１実施形態では、デジタルテレビジョン１００によるテレビ番組の視聴がなされている状態で、ユーザがリモコン５０を使用して現在選局中のチャンネルから別なチャンネルへ移動するための操作（チャンネル選局操作）がなされた際、制御部１８は次の処理動作を行うことが可能に構成されている。
【００２９】
すなわち、制御部１８の指令に基づいて、移動先（ユーザが指定するチャンネル番号）の物理チャンネルに標準解像度のテレビ番組が放送されるサブチャンネル番号と標準解像度よりも高い解像度（高解像度）のテレビ番組が放送されるサブチャンネル番号とが含まれる場合に、該当する物理チャンネルが有するＶＣＴ内のショートネーム情報に基づいて、標準解像度または高解像度のいずれか一方を有して放送されるテレビ番組（サブチャンネル）を優先的に受信するように、チューナ１１の受信周波数を切り換える制御を行うように構成されている。
【００３０】
この際、制御部１８は、ＰＳＩＰのうちのたとえばＥＩＴを参照することにより、各々のサブチャンネルにおいて放送されるテレビ番組が互いに同じコンテンツ（番組内容）である場合に、標準解像度（ＳＤ方式）または高解像度（ＨＤ方式）のいずれか一方の放送形式によるテレビ番組（サブチャンネル）を優先的に受信する制御を行うように構成されている。これにより、視聴中のチャンネルから他のチャンネルへ移動する際に、移動先のチャンネルにおいて異なる解像度（ＳＤ方式またはＨＤ方式）であるにも拘わらず同じコンテンツ（番組内容）からなるテレビ番組が同じ時間に重複して放送されている場合に、制御部１８によって一方の解像度（たとえばＨＤ方式）を有して放送されているテレビ番組を優先的に受信するようなチャンネルの選局動作が行われるように構成されている。
【００３１】
なお、第１実施形態におけるデジタルテレビジョン１００では、サブチャンネル間で放送される複数のテレビ番組が互いに同じコンテンツ（番組内容）である場合に、高解像度（ＨＤ方式）のテレビ番組（サブチャンネル）を受信する制御を行うように構成されている。すなわち、ユーザが事前にリモコン操作などを通してチャンネル番号リスト６０を表示画面部３０に表示させて、移動したいサブチャンネルがＳＤ方式によるテレビ番組であるのかＨＤ方式によるテレビ番組であるのかを調べることによりユーザ自身が解像度に関する情報に注目してどのサブチャンネルを選ぶかの判断を行わずとも、ＨＤ方式によるテレビ番組のサブチャンネルが自動的に選局されるように構成されている。
【００３２】
次に、図１〜図６を参照して、第１実施形態によるデジタルテレビジョン１００の制御部１８による制御動作について説明する。なお、以下に示す制御動作は、装置本体の主電源がオン状態であり、かつ、ユーザが所定のチャンネル番号を有するテレビ番組を視聴している際に、制御部１８によって実行される処理フローである。
【００３３】
図６に示すように、まず、ステップＳ１において、ユーザによってチャンネルの選局に関する操作が入力されたか否かが制御部１８（図１参照）により判断される。ここで、ユーザによるチャンネルの選局に関する操作とは、たとえば、リモコン５０（図２参照）のダイレクト選局ボタン５３（図２参照）を押圧して現在選局中のチャンネル番号から別なチャンネル番号へ直接的に移動させる操作や、チャンネルアップボタン５４ａ（図２参照）またはチャンネルダウンボタン５４ｂ（図２参照）を押圧して現在選局中のチャンネル番号に隣接するチャンネル番号へ１つだけチャンネルを移動（アップ／ダウン）させる操作のことである。以下に説明するフローでは、図３に示したチャンネル番号リスト６０に基づいて、ユーザによりチャンネルアップボタン５４ａが１回だけ押圧されることにより、現在のチャンネル番号「２」から物理チャンネル番号「３」へ移動する場合について説明する。なお、ステップＳ１の判断は、上記した操作が行われるまで繰り返される。
【００３４】
ステップＳ１において、チャンネルアップボタン５４ａが押圧されたと判断された場合、ステップＳ２では、移動先の物理チャンネル番号「３」に対応するテレビジョン放送波に含まれる番組情報（ＰＳＩＰ）を取得する。これにより、物理チャンネル番号「３」内の全てのサブチャンネルが個々に有するテレビ番組の内容が把握される。
【００３５】
ここで、第１実施形態では、ステップＳ３において、物理チャンネル番号「３」のサブチャンネル（この例ではチャンネル番号「３−２」および「３−３」）において放送されるテレビ番組が互いに同じコンテンツ（番組内容）であるか否かが判断される。すなわち、制御部１８により、ＰＳＩＰのうちのたとえばＥＩＴが参照されることにより、サブチャンネル番号「３−２」および「３−３」の各々のテレビ番組が互いに同じコンテンツ（番組内容）であるか否かが判断される。
【００３６】
ステップＳ３の判断において、サブチャンネル番号「３−２」と「３−３」とのコンテンツが同じであると判断された場合、ステップＳ４において、制御部１８の指令に基づいて物理チャンネル番号「３」が有するＴＳのスキャニングが行われる。これにより、物理チャンネル番号「３」に関しての、図４に示されるようなＴＶＣＴが取得される。
【００３７】
この際、第１実施形態では、物理チャンネル番号「３」に関するＴＶＣＴの中から、２つのサブチャンネル番号「３−２」および「３−３」のうちの現在のチャンネル番号「２」に対してチャンネルアップの方向に隣接するチャンネル番号「３−２」のショートネーム情報（図５参照）が、第１番目として先に取得される。これにより、サブチャンネル番号「３−２」のショートネーム情報として「ＤＴＶ＿ＳＤ」が取得されてメモリ部１９（図１参照）に一時的に記憶される。
【００３８】
そして、ステップＳ５では、取得されたショートネーム情報に「ＳＤ」という文字が含まれているか否かが制御部１８により判断される。ステップＳ５の判断において、「ＳＤ」が含まれていると判断された場合、ステップＳ６では、制御部１８の指令に基づき、次の処理が行われる。
【００３９】
すなわち、第１実施形態では、サブチャンネル番号「３−２」以外のサブチャンネルであるチャンネル番号「３−３」のショートネーム情報が第２番目として取得される。この場合、サブチャンネル番号「３−３」のショートネーム情報として「ＤＴＶ＿ＨＤ」が取得されてメモリ部１９に一時的に記憶される。
【００４０】
そして、ステップＳ７では、サブチャンネル番号「３−３」のショートネーム情報に「ＨＤ」という文字が含まれているか否かが制御部１８により判断される。ステップＳ７の判断において、「ＨＤ」が含まれていると判断された場合、ステップＳ８では、制御部１８の指令に基づき、次の処理が行われる。
【００４１】
すなわち、第１実施形態では、制御部１８により「ＨＤ」が含まれているサブチャンネル番号「３−３」が、チャンネルアップボタン５４ａの１回押しに対応する移動先のチャンネル番号として決定される。これにより、ステップＳ８では、制御部１８の指令に基づき、現在のチャンネル番号「２」に設定されているチューナ１１の受信周波数が、チャンネルアップの方向に隣接するサブチャンネル番号「３−２」を飛び越えて、サブチャンネル番号「３−３」に対応するテレビジョン放送波を受信するための受信周波数に切り換えられる。この結果、同一コンテンツの場合に「ＨＤ方式」で放送されているサブチャンネル番号「３−３」が選局されて本制御が終了される。
【００４２】
また、ステップＳ７の判断において、サブチャンネル番号「３−３」のショートネーム情報「ＨＤ」が含まれていないと判断された場合、処理はステップＳ９に移行する。ステップＳ９では、制御部１８の指令に基づき、現在のチャンネル番号「２」に設定されているチューナ１１の受信周波数が、チャンネルアップの方向に隣接するサブチャンネル番号「３−２」に対応するテレビジョン放送波を受信するための受信周波数に切り換えられる。この結果、「ＳＤ方式」で放送されているサブチャンネル番号「３−２」が選局されて本制御が終了される。
【００４３】
なお、上記では、ステップＳ５の判断において「ＳＤ」が含まれている場合の処理フローを説明しているが、これ以外の場合の処理フローについても説明する。たとえば、図３のチャンネル番号リスト６０を参照して、チャンネルアップボタン５４ａが１回だけ押圧されることにより、現在のチャンネル番号「３−３」から物理チャンネル番号「５」へ移動する場合の処理フローについて説明する。
【００４４】
すなわち、上記したステップＳ５の判断において、移動先の第１候補となるサブチャンネル番号「５−１」のショートネーム情報に「ＳＤ」が含まれていないと判断された場合、処理はステップＳ９に移行する。ステップＳ９では、制御部１８の指令に基づき、現在のチャンネル番号「３−３」に設定されているチューナ１１の受信周波数が、チャンネルアップの方向に隣接するサブチャンネル番号「５−１」に対応するテレビジョン放送波を受信するための受信周波数に切り換えられる。この結果、同一コンテンツの場合に「ＨＤ方式」で放送されているサブチャンネル番号「５−１」が選局されて本制御が終了される。
【００４５】
また、上記したステップＳ３の判断において、ＥＩＴを参照した結果、サブチャンネル番号「３−２」と「３−３」とのコンテンツが異なる内容であると判断された場合、処理はステップＳ９に移行する。ステップＳ９では、制御部１８の指令に基づき、現在のチャンネル番号「２」に設定されているチューナ１１の受信周波数が、チャンネルアップの方向に隣接するサブチャンネル番号「３−２」に切り換えられて本制御が終了される。すなわち、見かけ上は、従来どおりのチャンネルアップボタン５４ａの１回押しに対応したチャンネル選局動作が実行される。
【００４６】
なお、上記の説明では、チャンネルアップボタン５４ａの１回押しの際の処理フローについて説明したが、反対に、チャンネルダウンボタン５４ｂ（図２参照）の１回押しの際の処理フローについても上記と同様の処理が行われる。ただし、この場合における「隣接するチャンネル番号」とは、現在選局中のチャンネル番号から見てチャンネルダウンの方向に隣接するチャンネル番号のことを意味しており、制御部１８は、現在選局中のチャンネル番号に対してチャンネルダウンの方向に隣接するチャンネル番号が含まれる物理チャンネルを処理動作の対象としている。
【００４７】
また、上記の説明では、チャンネルアップボタン５４ａが使用される際の処理フローについて説明したが、ダイレクト選局ボタン５３（図２参照）が使用される場合の処理フローについても上記と同様である。ただし、この場合における「隣接するチャンネル番号」とは、ダイレクト選局先の物理チャンネルに含まれる複数のサブチャンネルのうちの、現在選局中のチャンネル番号から見て近い側の位置（チャンネル番号リスト６０における配列が現在のチャンネル番号により近い位置）に存在するサブチャンネル番号のことを示している。
【００４８】
第１実施形態では、上記のように、ユーザがテレビ番組のチャンネルを選局する際に、所定のコンテンツからなりＳＤ方式により放送されるテレビ番組と、このコンテンツと同一のコンテンツからなりＨＤ方式により放送されるテレビ番組とが含まれる場合に、ＴＶＣＴの中のショートネーム情報に基づいて、ＳＤ方式またはＨＤ方式のいずれか一方を有して放送されるテレビ番組を優先的に受信するように、チューナ１１の受信周波数を切り換える制御を行うように制御部１８が構成されている。すなわち、視聴中のチャンネルから他のチャンネルへ移動する際に、移動先のチャンネルにおいて異なる解像度（ＳＤ方式またはＨＤ方式）であるにも拘わらず同じコンテンツからなるテレビ番組が重複して放送されている場合に、制御部１８によって一方の解像度（ＨＤ方式）を有して放送されているテレビ番組を優先的に受信するようなチャンネルの選局動作が行われる。これにより、移動先のチャンネルに同一コンテンツからなる複数のテレビ番組が存在している場合であっても、ユーザ自身が解像度に関する情報に注目していずれのチャンネルを選ぶかの判断を行わずとも一のチャンネルが自動的に選局されるので、その分、ユーザが所望する解像度（ＨＤ方式）により視聴したいチャンネルを即座に選局することができる。この際、同一コンテンツからなる複数のテレビ番組のうちの一のテレビ番組に対応するチャンネルが必ず選局されるので、ユーザが視聴可能なテレビ番組を見逃すのを抑制することができる。
【００４９】
また、第１実施形態では、制御部１８を、ユーザがテレビ番組のチャンネルを選局する際に、ＴＶＣＴの中のショートネーム情報に基づいて、ＨＤ方式により放送されるテレビ番組を優先的に受信するように、チューナ１１の受信周波数を切り換える制御を行うように構成することによって、同一コンテンツからなる複数のテレビ番組のうちのＳＤ方式よりも解像度が高いＨＤ方式により放送されるテレビ番組に対応するチャンネルが優先的に選局されるので、ユーザは、より質の高い映像および音声を通してテレビ番組を即座に選局して視聴することができる。
【００５０】
また、第１実施形態では、制御部１８を、ユーザがテレビ番組のチャンネルを選局する際に、物理チャンネル番号内にＳＤ方式により放送されるテレビ番組に対応するサブチャンネル番号と、ＨＤ方式により放送されるテレビ番組に対応するサブチャンネル番号とが存在すると判断した場合、ＴＶＣＴの中のショートネーム情報に基づいて、ＨＤ方式により放送されるサブチャンネル番号に対応したテレビ番組を優先的に受信するように、チューナ１１の受信周波数を切り換える制御を行うように構成することによって、同じ物理チャンネル内に存在する複数のサブチャンネルのうちのより高解像度のテレビ番組に対応するサブチャンネルが優先的に選局されるので、ユーザは、より質の高い映像および音声を通してテレビ番組を即座に選局して視聴することができる。
【００５１】
また、第１実施形態では、制御部１８を、ユーザがテレビ番組のチャンネルを選局する際に、ユーザによりＳＤ方式により放送されるテレビ番組に対応するサブチャンネル番号が指定された場合に、物理チャンネル番号内にＨＤ方式により放送されるテレビ番組に対応するサブチャンネル番号が存在する場合は、ＳＤ方式により放送されるテレビ番組を受信せずにＨＤ方式により放送されるテレビ番組を受信するように、チューナ１１の受信周波数を切り換える制御を行うように構成することによって、同じ物理チャンネル内に存在する複数のサブチャンネルのうちのより高解像度のテレビ番組に対応する理論チャンネルが優先的に選局されるので、ユーザは、より高解像度のテレビ番組が存在するか否かを意識することなく、より質の高い映像および音声を通してテレビ番組を視聴することができる。
【００５２】
また、第１実施形態では、制御部１８を、ユーザがチャンネル番号を１つだけ増加させるチャンネルアップ操作またはチャンネル番号を１つだけ減少させるチャンネルダウン操作によってテレビ番組のチャンネルを選局する際に、この操作により指定されたサブチャンネル番号がＳＤ方式により放送されるテレビ番組に対応するサブチャンネル番号である場合に、物理チャンネル番号内にＨＤ方式により放送されるテレビ番組に対応するサブチャンネル番号が存在する場合は、ユーザによる操作（チャンネルアップ操作またはチャンネルダウン操作）により指定されたサブチャンネル番号を飛び越してＨＤ方式により放送されるテレビ番組を受信するように、チューナ１１の受信周波数を切り換える制御を行うように構成することによって、ユーザがチャンネルアップ操作またはチャンネルダウン操作によってテレビ番組のチャンネルを選局する場合においても、同じ物理チャンネル内に存在する複数のサブチャンネルのうちのより高解像度のテレビ番組に対応する理論チャンネルが優先的に選局されるので、ユーザは、より高解像度のテレビ番組が存在するか否かを意識することなく、より質の高い映像および音声を通してテレビ番組を視聴することができる。
【００５３】
また、第１実施形態では、制御部１８を、ユーザがテレビ番組のチャンネルを選局する際に、物理チャンネル番号内にＳＤ方式により放送されるテレビ番組に対応するサブチャンネル番号が存在しないと判断した場合、チューナ１１をユーザにより指定されたサブチャンネル番号に対応したテレビ番組を受信するように、チューナ１１の受信周波数を切り換える制御を行うように構成することによって、ユーザにより指定されたサブチャンネル番号が、ＳＤ方式と異なるＨＤ方式により放送されるテレビ番組である可能性が高いので、ユーザにより指定されたサブチャンネル番号を選局することにより、ユーザに、質の高い映像および音声を通してテレビ番組を視聴させやすくすることができる。
【００５４】
また、第１実施形態では、制御部１８を、ユーザがテレビ番組のチャンネルを選局する際に、物理チャンネル番号内にＨＤ方式により放送されるテレビ番組に対応するサブチャンネル番号が存在しないと判断した場合、チューナ１１をユーザにより指定されたサブチャンネル番号のうちの選局前のチャンネル番号に隣接するサブチャンネル番号に対応したテレビ番組を受信するように、チューナ１１の受信周波数に切り換える制御を行うように構成することによって、ユーザにより指定されたサブチャンネル番号に対応するテレビ番組が確実に受信されるので、ユーザが視聴可能なテレビ番組を見逃すのを確実に抑制することができるとともに、従来どおりの選局動作を確実に反映させることができる。
【００５５】
また、第１実施形態では、チューナ１１を介して取得されたＰＳＩＰに含まれるＴＶＣＴに基づいてショートネーム情報を取得することによって、ＰＳＩＰに含まれるショートネーム情報に基づいて、ＳＤ方式の放送であるかＨＤ方式の放送であるかに関する情報を容易に取得することができる。また、この際、ショートネーム情報の中の「ＳＤ」または「ＨＤ」という解像度に関する文字を特定することにより、ＳＤ方式であるかＨＤ方式であるかに関する情報を確実に取得することができる。
【００５６】
（第２実施形態）
図３〜図７を参照して、本発明の第２実施形態によるＨＤＤレコーダ２００の構成について説明する。なお、第２実施形態では、放送受信装置の一例であるＨＤＤレコーダ２００に本発明を適用した場合について説明する。
【００５７】
本発明の第２実施形態によるＨＤＤレコーダ２００は、図７に示すように、装置本体に内蔵された制御回路部２１０を備えている。また、ＨＤＤレコーダ２００は、外部接続されるテレビジョン装置２７０を操作するリモコン５０と同一のリモコンよって操作されるように構成されている。なお、テレビジョン装置２７０は、本発明の「表示装置」の一例である。
【００５８】
また、ＨＤＤレコーダ２００は、アンテナケーブル４１を介してアンテナ４０に接続されることにより、各放送事業者から送出されるテレビジョン放送波を受信することが可能に構成されている。また、ＨＤＤレコーダ２００は、制御回路部２１０に設けられた外部機器接続端子２１７を介してテレビジョン装置２７０が接続されるように構成されている。
【００５９】
また、制御回路部２１０には、所定の伝送チャンネルを選局して放送事業者毎のテレビジョン放送波を受信するチューナ２１１と、受信されたテレビジョン放送波をデジタル信号に復調する復調部２１２と、復調後の符号化されたデジタル信号（ＴＳ）をデコードするＴＳデコーダ２１３と、ＴＳデコーダ２１３により復号された映像信号および音声信号の各々に関する各種処理を行う映像処理部２１４および音声処理部２１５と、ＯＳＤ部２１６とが設けられている。
【００６０】
また、制御回路部２１０は、上述した構成に加えて、外部機器としてのテレビジョン装置２７０をＨＤＤレコーダ２００と接続するための外部機器接続端子２１７と、ＣＰＵからなりＨＤＤレコーダ２００の全体の制御を司る制御部２１８と、メモリ部２１９と、受光部２２０と、チューナ２１１によって受信されたテレビ番組を記録可能なデータ形式に変換した状態で記録するＨＤＤ部（ハードディスクドライブ部）２２１とが設けられている。また、制御回路部２１０の各構成要素は、バス２２２を介して互いに接続されることにより、制御部２１８による指令信号やＴＳに含まれる各種データを互いにやり取りすることが可能に構成されている。
【００６１】
したがって、ＨＤＤレコーダ２００は、チューナ２１１によって受信されたテレビ番組をＨＤＤ部２２１に記録する機能を有する一方、チューナ２１１が受信したテレビジョン放送波をバス２２２および外部機器接続端子２１７を経由させてテレビジョン装置２７０の表示画面部２７１およびスピーカ２７２から出力させることが可能に構成されている。
【００６２】
すなわち、ＨＤＤレコーダ２００では、上記第１実施形態によるデジタルテレビジョン１００が有する機能と同様に、テレビジョン放送波を受信した際に各放送事業者から送出されたＴＳに含まれるＰＳＩＰに基づいて、ユーザが選局可能なチャンネル番号リスト６０（図３参照）が作成されるように構成されている。すなわち、ユーザが装置本体をアンテナ４０に接続して最初に使用する際に、制御部２１８の指令によりチューナ２１１の受信周波数を順次変更させながら各放送事業者から送出されたＴＳを順次スキャニングすることにより、各々のＴＳに含まれるＰＳＩＰに基づいて、装置本体内にチャンネル番号リスト６０が予め構築されるように構成されている。これにより、ユーザがリモコン５０などを介してチャンネル選局を行った際、チャンネル番号リスト６０に基づいてチューナ２１１の受信周波数を切り換えることにより、選択されたチャンネル番号に対応するテレビジョン放送波を受信することが可能とされている。
【００６３】
ここで、第２実施形態では、ＨＤＤレコーダ２００に接続されたテレビジョン装置２７０を介してテレビ番組の視聴がなされている状態で、ユーザがリモコン５０を使用して現在選局中のチャンネルから別なチャンネルへ移動するためのチャンネル選局操作がなされた際、制御部２１８は次の処理動作を行うことが可能に構成されている。
【００６４】
すなわち、制御部２１８の指令に基づいて、移動先（ユーザが指定するチャンネル番号）の物理チャンネルに標準解像度のテレビ番組が放送されるサブチャンネル番号と標準解像度よりも高い解像度（高解像度）のテレビ番組が放送されるサブチャンネル番号とが含まれる場合に、該当する物理チャンネルが有するＶＣＴ（図４参照）内のショートネーム情報（図５参照）に基づいて、標準解像度または高解像度のいずれか一方を有して放送されるテレビ番組（サブチャンネル）を優先的に受信するように、チューナ２１１の受信周波数を切り換える制御を行うように構成されている。
【００６５】
この際、制御部２１８は、ＰＳＩＰのうちのたとえばＥＩＴを参照することにより、各々のサブチャンネルにおいて放送されるテレビ番組が互いに同じコンテンツ（番組内容）である場合に、標準解像度（ＳＤ放送）または高解像度（ＨＤ放送）のいずれか一方のテレビ番組（サブチャンネル）を優先的に受信する制御を行うように構成されている。これにより、視聴中のチャンネルから他のチャンネルへ移動する際に、移動先のチャンネルにおいて異なる解像度（ＳＤ放送またはＨＤ放送）であるにも拘わらず同じコンテンツ（番組内容）からなるテレビ番組が重複して放送されている場合に、制御部２１８によって一方の解像度（たとえばＨＤ放送）を有して放送されているテレビ番組を優先的に受信するようなチャンネルの選局動作が行われるように構成されている。
【００６６】
なお、第２実施形態におけるＨＤＤレコーダ２００では、接続されるテレビジョン装置２７０の仕様（映像の表示性能（解像度））についても制御部２１８が把握することにより、移動先のチャンネル番号を適宜決定することが可能に構成されている。すなわち、表示画面部２７１がＨＤ方式に対応できずにＳＤ方式で表示可能である場合、ＳＤ方式により放送されるテレビ番組を優先的に受信するように、チューナ２１１の受信周波数を切り換える制御が行われるように構成されている。また、表示画面部２７１がＨＤ方式で表示可能である場合には、ＨＤ方式により放送されるテレビ番組を優先的に受信するように、チューナ２１１の受信周波数を切り換える制御が行われるように構成されている。
【００６７】
また、第２実施形態におけるＨＤＤレコーダ２００においても、サブチャンネル間で放送されるテレビ番組が互いに同じコンテンツ（番組内容）である場合に、高解像度（ＨＤ放送）のテレビ番組（サブチャンネル）を優先的に受信する制御を行うように構成されている。これにより、テレビジョン装置２７０の表示性能を考慮した上で、ＨＤ放送のサブチャンネルが優先的かつ自動的に選局されるように構成されている。
【００６８】
なお、第２実施形態によるＨＤＤレコーダ２００が有するその他の構成および機能については、上記第１実施形態で示したデジタルテレビジョン１００が有するその他の構成および機能と略同様である。
【００６９】
また、第２実施形態によるＨＤＤレコーダ２００にテレビジョン装置２７０を外部接続した際に制御部２１８により実行される制御動作については、図６に示した処理フローがステップＳ１から実行される前に、接続されているテレビジョン装置２７０の仕様（映像の表示性能）が把握される処理が制御部２１８の指令に基づいて実行される。このテレビジョン装置２７０の仕様を事前に把握する処理は、制御部２１８が外部機器接続端子２１７を介してテレビジョン装置２７０の制御部（図示せず）と通信を行うことにより容易に達成される。
【００７０】
したがって、たとえば、テレビジョン装置２７０（表示画面部２７１）がＨＤ方式に対応できずにＳＤ方式でしか映像を表示できない性能であると判断された場合、図６に示した処理フローにおいて、たとえショートネーム情報に基づいて移動先のチャンネルに「ＨＤ方式」で放送されているサブチャンネル番号が存在することが判明している場合であっても、ＳＤ方式により放送されるサブチャンネル番号のテレビ番組が受信される処理が実行される。一方、テレビジョン装置２７０（表示画面部２７１）がＨＤ方式に対応可能な表示装置であると判断された場合には、図６に示した処理フローが実行されるように構成されている。
【００７１】
第２実施形態では、上記のように、ユーザがＨＤＤレコーダ２００を介してテレビ番組のチャンネルを選局する際に、所定のコンテンツからなりＳＤ方式により放送されるテレビ番組と、このコンテンツと同一のコンテンツからなりＨＤ方式により放送されるテレビ番組とが含まれる場合に、ＴＶＣＴの中のショートネーム情報に基づいて、ＳＤ方式またはＨＤ方式のいずれか一方を有して放送されるテレビ番組を優先的に受信するように、チューナ１１の受信周波数を切り換える制御を行うように制御部２１８が構成されている。すなわち、視聴中のチャンネルから他のチャンネルへ移動する際に、移動先のチャンネルにおいて異なる解像度（ＳＤ方式またはＨＤ方式）であるにも拘わらず同じコンテンツからなるテレビ番組が重複して放送されている場合に、制御部２１８によって一方の解像度（ＨＤ方式）を有して放送されているテレビ番組を優先的に受信するようなチャンネルの選局動作が行われる。これにより、移動先のチャンネルに同一コンテンツからなる複数のテレビ番組が存在している場合であっても、ユーザ自身が解像度に関する情報に注目していずれのチャンネルを選ぶかの判断を行わずとも一のチャンネルが自動的に選局されるので、その分、ユーザが所望する解像度（ＨＤ方式）により視聴したいチャンネルを即座に選局することができる。この際、同一コンテンツからなる複数のテレビ番組のうちの一のテレビ番組に対応するチャンネルが必ず選局されるので、ユーザが視聴可能なテレビ番組を見逃すのを抑制することができる。
【００７２】
また、第２実施形態では、制御部２１８を、ユーザがテレビ番組のチャンネルを選局する際に、表示画面部２７１がＨＤ方式に対応できずにＳＤ方式で表示可能であると判断した場合、ＳＤ方式により放送されるテレビ番組を優先的に受信するように、チューナ２１１の受信周波数を切り換える制御を行うように構成している。また、制御部２１８を、ユーザがテレビ番組のチャンネルを選局する際に、表示画面部２７１がＨＤ方式で表示可能であると判断した場合、ＨＤ方式により放送されるテレビ番組を優先的に受信するように、チューナ２１１の受信周波数を切り換える制御を行うように構成している。これにより、テレビジョン装置２７０（表示画面部２７１）の仕様（ＳＤ方式のみが表示可能であるか、または、ＨＤ方式でも表示可能であるかを示す表示画面部２７１の性能）に応じて、視聴中のチャンネルから他のチャンネルへ移動することができるので、ユーザが視聴したいチャンネルを確実に選局することができる。
【００７３】
なお、第２実施形態のその他の効果については、上記第１実施形態と同様である。
【００７４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７５】
たとえば、上記第１および第２実施形態では、制御部が、アメリカ地域でのデジタル放送方式におけるＡＴＳＣ規格に規定されたＰＳＩＰ（ＶＣＴ）に基づいてサブチャンネル毎の放送形式（ＳＤ方式またはＨＤ方式）を特定する例について示したが、本発明はこれに限られない。すなわち、日本でのデジタル放送方式におけるＥＰＧ符号化の規格であるＡＲＩＢ  ＳＴＤ−Ｂ１０に規定されたＰＳＩ／ＳＩ（番組配列情報）に基づいて同一コンテンツ（番組内容）が放送されている際のサブチャンネル毎の放送形式（ＳＤ方式またはＨＤ方式）を特定するように構成してもよい。あるいは、ヨーロッパ地域でのデジタル放送方式におけるＥＰＧ符号化の規格であるＤＶＢ−ＳＩに規定された番組配列情報に基づいてサブチャンネル毎の放送形式（ＳＤ方式またはＨＤ方式）を特定するように構成してもよい。さらには、上記した地域（国）以外の地域で運用されているデジタル放送方式の規格に則って、同一コンテンツが放送されている際のサブチャンネル毎の放送形式（ＳＤ方式またはＨＤ方式）を特定することも可能である。
【００７６】
また、上記第１および第２実施形態では、本発明の「放送受信装置」が、家屋などに設置されたアンテナを介して、本発明の「受信部」が地上波デジタル放送によるテレビジョン放送波を受信するように構成された例について示したが、本発明はこれに限られない。本発明では、放送受信装置が、衛星デジタル放送によるテレビジョン放送波を受信するように構成されていてもよいし、ケーブル回線（光ケーブル回線（インターネット回線）を含む）に接続された状態で受信部を介してデジタルテレビジョン放送波を受信するように構成されていてもよい。また、アンテナおよびケーブル回線の少なくともいずれか一方を使用して、地上波デジタル放送および衛星デジタル放送の両方の放送形式を含むテレビジョン放送波を受信するように構成されていてもよい。
【００７７】
また、上記第１および第２実施形態では、制御部１８がＰＳＩＰのうちのＥＩＴに規定された情報を参照することにより、１つの物理チャンネル内における複数のサブチャンネル間でのテレビ番組のコンテンツ（番組内容）を比較してコンテンツが同一か否かの判断を行うように構成した例について示したが、本発明はこれに限られない。本発明では、ＥＩＴ以外の他の番組配列情報（ＰＳＩＰに規定されているＥＩＴ以外の情報テーブル）を参照して、サブチャンネル間でのテレビ番組のコンテンツの同一性の可否を特定するように構成してもよい。
【００７８】
また、上記第１および第２実施形態では、ＴＶＣＴデータ中のショートネーム情報に基づいて、サブチャンネル毎の放送方式（ＳＤ方式またはＨＤ方式）を特定するように構成した例について示したが、本発明はこれに限られない。本発明では、ＴＶＣＴデータ中のショートネーム情報以外の情報に基づいて、同一コンテンツが放送されている際のサブチャンネル毎の放送方式（ＳＤ方式またはＨＤ方式）を特定するように構成してもよいし、ＴＶＣＴデータ以外の他の番組配列情報（ＰＳＩＰに規定されているＴＶＣＴデータ以外のデータ）を参照して、同一コンテンツが放送されている際のサブチャンネル毎の放送方式を特定するように構成してもよい。
【００７９】
また、上記第１および第２実施形態では、ショートネーム情報（放送事業者名）に付加された「ＳＤ」または「ＨＤ」という文字を認識することにより、サブチャンネル毎の放送方式（ＳＤ方式またはＨＤ方式）を特定するように構成した例について示したが、本発明はこれに限られない。本発明では、ショートネーム情報に「ＳＤ」または「ＨＤ」以外の文字で放送方式が規定されている場合には、「ＳＤ」または「ＨＤ」以外のたとえば、「＿Ｓ」または「＿Ｈ」などの文字（記号）を認識することにより、サブチャンネル毎の放送方式を特定するように構成してもよいし、他の記号や文字で放送方式を特定するように構成してもよい。
【００８０】
また、上記第２実施形態では、ＨＤＤレコーダ２００にテレビジョン装置２７０を接続してテレビ番組の視聴を行うように構成した例について示したが、本発明はこれに限られない。本発明では、デジタルテレビジョン放送波が受信可能な受信部を備えていれば、ＨＤＤレコーダ以外のＤＶＤレコーダ、ＢＤレコーダまたはセットトップボックス（信号変換装置）などの放送受信装置にテレビジョン装置２７０を接続してもよい。
【００８１】
また、上記第２実施形態では、ＨＤＤレコーダ２００にテレビジョン装置２７０を接続してテレビ番組の視聴を行うように構成した例について示したが、本発明はこれに限られない。本発明では、テレビジョン装置以外のＰＣなどに接続されるモニタ装置などを接続してテレビ番組の視聴を行うように構成してもよいし、スクリーンに表示可能なプロジェクタ装置を「表示装置」としてＨＤＤレコーダ２００に接続してテレビ番組の視聴を行うように構成してもよい。
【符号の説明】
【００８２】
１１、２１１  チューナ（受信部）
１８、２１８  制御部
３０  表示画面部（表示装置）
１００  デジタルテレビジョン（放送受信装置）
２００  ＨＤＤレコーダ（放送受信装置）
２７０  テレビジョン装置（表示装置）
【図１】
2011223128.tif 000003
【図２】
2011223128.tif 000004
【図３】
2011223128.tif 000005
【図４】
2011223128.tif 000006
【図５】
2011223128.tif 000007
【図６】
2011223128.tif 000008
【図７】
2011223128.tif 000009